(57)【要約】  【課題】自動製氷装置を備えた冷蔵庫に関して、給水タンクの下部へヒーターを配設せず、給水タンク内の水を凍結させることのない消費電力量を低減した自動製氷装置を備えた冷蔵庫を提供する。  【解決手段】冷蔵室１０２と冷凍室１０３の仕切り壁１０４はウレタンで発泡され、前記仕切り壁に載置される給水タンク２０１と、給水パイプ２０６が配設され、給水パイプ２０６は給水タンク２０１の下方へ配設され、前記仕切り壁の給水パイプ上方部分は、発泡材にて構成された断熱部材２０７で構成され、断熱部材２０７は給水タンク下部にヒーターを必要としない程度の断熱厚みを有し、前記給水タンクを設置する冷蔵室側から配置したことにより、冷凍室からの熱を断熱出来るため、給水タンク下部の仕切り壁上面へ配設されるヒーターを廃止することが出来る。【選択図】図１
2006234212.tif 000002
【特許請求の範囲】
【請求項１】
冷蔵室と冷凍室または製氷室を有し、冷蔵室が上部、冷凍室または製氷室が下部へ配設される構成において、冷蔵室と冷凍室の仕切り壁はウレタンで発泡され、前記仕切り壁に載置される給水タンクと、冷凍室に配置された給水皿と、前記給水タンクの水を給水皿へ導く給水ポンプと給水パイプが配設され、前記給水パイプは前記給水タンクの下方へ配設され、前記仕切り壁の給水パイプ上方部分は、発泡材にて構成された断熱部材で構成され、前記断熱部材は給水タンク下部にヒーターを必要としない程度の断熱厚みを有し、前記給水タンクを設置する冷蔵室側から配置したことを特徴とする冷蔵庫。
【請求項２】
前記断熱部材は少なくとも給水タンク下部に配置し、仕切り壁を貫通する厚みで構成することを特徴とする請求項１に記載の冷蔵庫。
【請求項３】
前記給水パイプ上部分に発泡材にて構成された断熱部材に接しないように前記仕切り壁へリブを設け、前記給水タンクの配設部を前記断熱部材の上面ラインより一段上げたことを特徴とする請求項１に記載の冷蔵庫。
【請求項４】
風路構成用のダクトの下部、前記給水タンク奥面へ吸い込み部を設けたことを特徴とする請求項１に記載の冷蔵庫。
【請求項５】
前記給水パイプ上部分に発泡材にて構成された断熱部材に接しないように前記仕切り壁へリブを設け、前記給水タンクの配設部を前記断熱部材の上面ラインより一段上げたことを特徴とする請求項４に記載の冷蔵庫。
【発明の詳細な説明】
【技術分野】
【０００１】
本発明は、自動製氷装置を備えた冷蔵庫に関するものである。
【背景技術】
【０００２】
従来、この種の冷蔵庫は、冷蔵室と冷凍室の仕切り壁に載置される給水タンクと給水タンク内水の凍結防止用として給水タンクの下部へヒーターが配設されている。
【０００３】
図６は、特許文献１に記載された従来の自動製氷装置部の断面図、図７は、特許文献１に記載された従来の仕切り壁に配設されるヒーターの斜視図である。
【０００４】
図６において、６０１は冷蔵室、冷蔵室６０１の下部には冷凍室６０２が設けられており、冷蔵室６０１と冷凍室６０２との間には、組み立て性及びウレタンの流動性から断熱材として発泡材が内蔵された仕切り壁６０３が設けられている。仕切り壁６０３上部には水を貯蔵するための給水タンク６０４とその水を冷凍室６０２側へ供給する部材が設けられている。給水タンク６０４は水を替えるタンクであり、冷蔵室６０１内に抜き差し自在の構造となっており、給水タンク６０４内の水を供給するための吸出し管部６０５がある。
【０００５】
水を冷凍室６０２側へ供給する部材は、給水タンク６０４内から水を吸い上げるための給水ポンプ６０６と給水タンク６０４の吸出し管部６０５を接続する管継ぎ手部材６０７によって構成され、給水ポンプ６０６のａ側に給水ポンプ６０６と給水皿６０８へ導く給水パイプ６０９が、給水ポンプ６０６の奥側から仕切り壁６０３を経て配設され、給水パイプ６０９の上部には給水パイプ６０９を断熱する発泡材によるカバーの断熱部材６１０が被さる構成となっている。一方、冷凍室６０２側には、氷を作るための給水皿６０８と給水皿６０８内の温度を検知する温度検知手段６１１が構成される。給水皿６０８を回転させるための離氷モーター６１２が配設され、給水皿６０８の下部へは出来た氷を受ける氷受け皿６１３が配設されている。以上のような構成において、給水タンク６０４に貯蔵された水が給水ポンプ６０６により吸い上げられ、吸出し管部６０５、管継ぎ手部材６０６を通り、給水ポンプ６０６を経て給水パイプ６０９を通り給水皿６０８へ一定量給水される。給水皿６０８は、給水皿６０８内の温度を検知する温度検知手段６１１により一定温度以下になると氷が精製されたことを検知し、離氷モーター６１２により給水皿６１１が回転し離氷し、氷受け皿６１３へ氷を落とす機構となっている。
【０００６】
次に従来の仕切り壁に配設されるヒーターについて図７において説明する。仕切り壁６０３の上面へ給水タンク６０４の下部へヒーター７０１が配設されている。ヒーター７０１は冷凍室６０２側から受ける冷気により給水タンク６０４内の水が凍結しないように配設されている。自動製氷を使用するモードの時は適宜給水タンク６０４内の水が凍結しないように通電されている。
【特許文献１】特開平１１−８３２７１号公報
【発明の開示】
【発明が解決しようとする課題】
【０００７】
しかしながら、上記従来の構成では、仕切り壁６０３の厚み及び断熱部材６１０が冷凍室６０２からの冷気を抑えるのに十分な厚みではないため、給水タンクの下部に位置する仕切り壁６０３の上面にはヒーター７０１を配設し、給水タンク６０４内の水の凍結を防止している。つまり、利用者へは、ヒーター入力の増大から消費電力量が増えるという課題を有していた。
【０００８】
本発明は、上記従来の課題を解決するもので、給水タンク下部のヒーターを廃止することで消費電力量を低減した自動製氷装置を備えた冷蔵庫を提供することを目的とする。
【課題を解決するための手段】
【０００９】
上記従来の課題を解決するために、本発明の冷蔵庫は、冷蔵室と冷凍室または製氷室を有し、冷蔵室が上部、冷凍室または製氷室が下部へ配設される構成において、冷蔵室と冷凍室の仕切り壁はウレタンで発泡され、前記仕切り壁に載置される給水タンクと、冷凍室に配置された給水皿と、前記給水タンクの水を給水皿へ導く給水ポンプと給水パイプが配設され、前記給水パイプは前記給水タンクの下方へ配設され、前記仕切り壁の給水パイプ上方部分は、発泡材にて構成された断熱部材で構成され、前記断熱部材は給水タンク下部にヒーターを必要としない程度の断熱厚みを有し、前記給水タンクを設置する冷蔵室側から配置したものである。
【００１０】
これによって、冷凍室からの熱を断熱出来るため、給水タンク下部の仕切り壁上面へ配設されるヒーターを廃止することが出来る。
【発明の効果】
【００１１】
本発明の自動製氷装置を備えた冷蔵庫は、仕切り壁の厚み及び断熱する発泡材による断熱部材が冷凍室からの冷気を抑えるのに十分な厚みを確保し、給水タンク内の水を凍結防止が出来る。
【発明を実施するための最良の形態】
【００１２】
請求項１に記載の発明は、冷蔵室と冷凍室または製氷室を有し、冷蔵室が上部、冷凍室または製氷室が下部へ配設される構成において、冷蔵室と冷凍室の仕切り壁はウレタンで発泡され、前記仕切り壁に載置される給水タンクと、冷凍室に配置された給水皿と、前記給水タンクの水を給水皿へ導く給水ポンプと給水パイプが配設され、前記給水パイプは前記給水タンクの下方へ配設され、前記仕切り壁の給水パイプ上方部分は、発泡材にて構成された断熱部材で構成され、前記断熱部材は給水タンク下部にヒーターを必要としない程度の断熱厚みを有し、前記給水タンクを設置する冷蔵室側から配置したものであり、冷凍室からの熱を断熱出来るため給水タンク下部の仕切り壁上面へ配設されるヒーターを廃止することが出来る。
【００１３】
請求項２に記載の発明は、請求項１に記載の発明において、前記断熱部材は少なくとも給水タンク下部に配置し、仕切り壁を貫通する厚みで構成するものであり、組み立ての作業バラツキが発生し、断熱部材の挿入が完全でない場合でも給水タンク内の水を凍結防止が出来る。
【００１４】
請求項３に記載の発明は、請求項１に記載の発明において、前記給水パイプ上部分に発泡材にて構成された断熱部材に接しないように前記仕切り壁へリブを設け前記給水タンクの配設部を前記断熱部材の上面ラインより一段上げることにより、直接的に冷凍室から熱影響を防止できるため、給水タンク内の水を凍結防止が出来る。
【００１５】
請求項４に記載の発明は、請求項１に記載の発明において、風路構成用のダクトの下部、前記給水タンク奥面へ吸い込み部を設けることにより、戻り空気のため給水タンク近傍の温度が上昇するため、給水タンク内の水を凍結防止が出来る。
【００１６】
請求項５に記載の発明は、請求項４に記載の発明において、前記給水パイプ上部分に発泡材にて構成された断熱部材に接しないように前記仕切り壁へリブを設け前記給水タンクの配設部を前記断熱部材の上面ラインより一段上げることにより、直接的に冷凍室から熱影響を防止でき、さらに給水タンクの底面に吸い込み空気の接触面積が増大するため、給水タンク内の水を凍結防止が出来る。
【００１７】
以下、本発明の実施の形態について、図面を参照しながら説明する。なお、この実施の形態によって、この発明が限定されるものではない。
【００１８】
（実施の形態１）
図１は、本発明の実施の形態１における冷蔵庫の断面図である。
【００１９】
図１において、冷蔵庫本体１０１は、上部に配置された冷蔵室１０２と下部に配置された冷凍室１０３とに仕切られ、冷蔵室１０１と冷凍室１０２との間には、ウレタンの流動性を十分に保つことが可能な壁厚ｈｍｍ以上（例えば６０ｍｍ以上）確保されており、ウレタンで発泡された仕切り壁１０４が設けられている。冷蔵室１０２は、冷気の自然対流による直接冷却方式にて冷却される部屋であり、内箱１０５の奥面へ蒸発器１０６が配設されている。冷凍室１０３は送風機１０７による間接冷却方式であり、蒸発器１０８は風路構成用のダクト１０９の奥面へ配設されている。また、１１０は自動製氷装置部である。
【００２０】
図２（ａ）は、本発明の実施の形態１における自動製氷装置部の断面図であり、（ｂ）は同自動製氷装置部のＡ−Ｂ線における平面断面図である。図２において、仕切り壁１０４上部には水を貯蔵するための給水タンク２０１とその水を冷凍室１０３側へ供給する部材が設けられている。給水タンク２０１は水を替えるタンクであり、冷蔵室１０２内に抜き差し自在の構造となっており、給水タンク２０１内の水を供給するための吸出し管部２０２がある。水を冷凍室１０３側へ供給する部材は、給水タンク２０１内から水を吸い上げるための給水ポンプ２０３と給水タンク２０１の吸出し管部２０２を接続する管継ぎ手部材２０４によって構成され、給水ポンプ２０３のａ側に給水ポンプ２０３と給水皿２０５へ導く給水パイプ２０６が、給水ポンプ２０３の奥側から仕切り壁１０４を経て配設され、給水パイプ２０６の上部には給水パイプ２０６を断熱する断熱部材２０７が冷蔵室側から配置した構成となっている。
【００２１】
断熱部材２０７は、冷凍室１０３及び給水パイプ２０６からの侵入熱を抑制でき、給水タンク下部にヒーターを必要としない程度の断熱厚みｈｍｍ以上（例えば６０ｍｍ以上）確保している。また、冷凍室１０３から給水パイプ２０６の表面及び気中から伝熱する冷気をカットするため給水パイプ２０６の表面へヒーター２１１を配設している。一方、冷凍室１０３側には、氷を作るための給水皿２０５と給水皿２０５内の温度を検知する温度検知手段２０８が構成される。給水皿２０５を回転させるための離氷モーター２０９が配設され、給水皿２０５の下部へは出来た氷を受ける氷受け皿２１０が配設されている。
【００２２】
以上のような構成において、以下にその動作・作用を説明する。
【００２３】
給水タンク２０１に貯蔵された水が給水ポンプ２０３により吸い上げられ、吸出し管部２０２、管継ぎ手部材２０４を通り、給水ポンプ２０３を経て給水パイプ２０６を通り給水皿２０５へ一定量給水される。給水皿２０５は、給水皿２０５内の温度を検知する温度検知手段２０８により一定温度以下になると氷が精製されたことを検知し、離氷モーター２０９により給水皿２０５が回転し離氷し、氷受け皿２１０へ氷を落とす機構となっている。
【００２４】
以上のように、本実施の形態においては、冷蔵室と冷凍室を有し、冷蔵室が上部、冷凍室または製氷室が下部へ配設される構成において、冷蔵室と冷凍室の仕切り壁はウレタンで発泡され、仕切り壁に載置される給水タンクと、冷凍室に配置された給水皿と、給水タンクの水を給水皿へ導く給水ポンプと給水パイプが配設され、前記給水パイプは給水タンクの下部へ配設され、給水パイプを着脱可能にするため仕切り壁の給水パイプ上部分は、発泡材にて構成された断熱部材で構成され、断熱部材は冷凍室の熱を断熱するのに十分な厚みを有することにより、冷凍室からの熱を断熱出来るため給水タンク下部の仕切り壁上面へ配設されるヒーターを廃止することが出来る。
【００２５】
（実施の形態２）
図３（ａ）は、本発明の実施の形態２における自動製氷装置部の断面図であり、（ｂ）は同自動製氷装置部の平面断面図である。
【００２６】
実施の形態１と異なる点は、断熱部材２０７は少なくとも給水タンク２０１下部に配置し、仕切り壁１０４を貫通する厚みで構成している。これにより、組み立ての作業バラツキが発生し、断熱部材３０１の挿入が完全でない場合でも給水タンク内の水を凍結防止が出来る。
【００２７】
（実施の形態３）
図４（ａ）は、本発明の実施の形態３における自動製氷装置部の断面図であり、（ｂ）は同自動製氷装置部のＡ−Ｂ線における平面断面図であり、（ｃ）は同自動製氷装置部のＣ−Ｄ線における断面図である。
【００２８】
実施の形態１と異なる点は、給水パイプ２０６上部分に発泡材にて構成された断熱部材２０７に接しないように仕切り壁へリブ４０１を設け給水タンク２０６の配設部を断熱部材２０７の上面ラインより一段上げることにより、直接的に冷凍室から熱影響を防止できるため、給水タンク内の水を凍結防止が出来る。
【００２９】
（実施の形態４）
図５は、本発明の実施の形態４における冷蔵庫の断面図である。
【００３０】
図５において、冷蔵庫本体５０１は、最上部に配置された冷蔵室５０２、中間部に配設された第二冷蔵室５０３（例えば、野菜室、ファインフレッシュ室等）と最下部に配置された冷凍室５０４にて構成され、第二冷蔵室５０３と最下部に配置された冷凍室５０４とに仕切られ、冷蔵室５０２と冷凍室５０４との間には、ウレタンの流動性を十分に保つことが可能な壁厚ｈｍｍ以上（例えば６０ｍｍ以上）確保されており、ウレタンで発泡された仕切り壁５０５が設けられている。冷蔵室５０２は、冷気の自然対流による直接冷却方式にて冷却される部屋であり、内箱５０６の奥面へ蒸発器５０７が配設されている。冷凍室５０４及び第二冷蔵室５０３は送風機５０８による間接冷却方式であり、冷凍室５０４内へ導かれる風路と第二冷蔵室５０３へ導かれる風路とに分かれ、第二冷蔵室５０３へ導かれる風路はダンパー５０９によりコントロールされる構成となっている。蒸発器５１０は風路構成用のダクト５１１の奥面へ配設されている。また、第二冷蔵室５０３にも風路構成用ダクト５１２が配設されており、風路構成用ダクト５１２の戻り風路の一部は自動製氷装置５１３奥面の風路構成用ダクト５１２の下部へ吸込み部５１４が配設されている。自動製氷装置５１３に関しては実施の形態１と同一であるため詳細説明については省略する。
【００３１】
以上のように、戻り空気のため給水タンク近傍の温度が上昇するため、給水タンク内の水を凍結防止が出来る。
【００３２】
（実施の形態５）
実施の形態４と異なる点は、自動製氷装置について実施の形態３に示す図４の自動製氷装置とすることにより、直接的に冷凍室から熱影響を防止でき、さらに給水タンクの底面に吸い込み空気の接触面積が増大するため、給水タンク内の水を凍結防止が出来る。
【産業上の利用可能性】
【００３３】
以上のように、本発明にかかる自動製氷装置付き冷蔵庫は、凍結及び結露を解決する手段としてのヒーター入力の低減であるため、家庭用冷蔵庫だけではなく多種に渡る冷凍装置への適用もできる。
【図面の簡単な説明】
【００３４】
【図１】本発明の実施の形態１における冷蔵庫の断面図
【図２】（ａ）本発明の実施の形態１における自動製氷装置部の断面図（ｂ）同自動製氷装置部のＡ−Ｂ線における平面断面図
【図３】（ａ）本発明の実施の形態２における自動製氷装置部の断面図（ｂ）同自動製氷装置部の平面断面図
【図４】（ａ）本発明の実施の形態３における自動製氷装置部の断面図（ｂ）同自動製氷装置部のＡ−Ｂ線における平面断面図（ｃ）同自動製氷装置部のＣ−Ｄ線における断面図
【図５】本発明の実施の形態４における冷蔵庫の断面図
【図６】従来の自動製氷装置部の断面図
【図７】従来の仕切り壁に配設されるヒーターの斜視図
【符号の説明】
【００３５】
１０２  冷蔵室
１０３  冷凍室
１０４  仕切り壁
２０１  給水タンク
２０５  給水皿
２０６  給水パイプ
２０７  断熱部材
３０１  断熱部材
４０１  リブ
５１２  風路校正用ダクト
５１４  吸込み部
【図１】
2006234212.tif 000003
【図２】
2006234212.tif 000004
【図３】
2006234212.tif 000005
【図４】
2006234212.tif 000006
【図５】
2006234212.tif 000007
【図６】
2006234212.tif 000008
【図７】
2006234212.tif 000009